(57)【要約】      （修正有）【課題】魚のかかっていないフリーとなっている針の動きを抑える根がかり回避ハリス挟み込み二股サルカンを提供する。【解決手段】針（７）の付いたハリス（８）を２本と所定の太さの糸（１０）１本を束ねて８の字で結び（９）、針（７）の付いたハリス（８）の２本の余分は８の字結び（９）付近で切断し所定の太さの糸（１０）の針（７）の側の余分は８の字結び（９）付近で切断し針（７）の反対側の余分は一定の長さを残して切断し、それぞれの針（７）を天秤状の棒（５）の両端のそれぞれの輪（６）の内側から外側へそれぞれとおし８の字の結び（９）が輪（６）と輪（６）の間に位置するよう取り付け、一定の長さを残した所定の太さの糸（１０）を輪（１）にとおし、２本の棒を並べて設けた（２）間に差し込んで取り付けた。【選択図】図３
0003208951.tif 000002
【実用新案登録請求の範囲】
【請求項１】
１本の棒の中央を折り曲げ半円にし左右に分かれた２本の棒で輪（１）を設け、その先の２本の棒を並べて設け（２）、その先の２本の棒で孔（３）を設け、その先の２本の棒を並べて設け（４）、その先の２本の棒を広げ天秤状（５）にし、広げた２本の棒の先にそれぞれ向き合いぶら下がるように輪（６）を設けたことを特徴とする根がかり回避ハリス挟み込み二股サルカン。
【請求項２】
針（７）の付いたハリス（８）を２本と所定の太さの糸（１０）１本を束ねて８の字で結び（９）、針（７）の付いたハリス（８）の２本の余分は８の字結び（９）付近で切断し所定の太さの糸（１０）の針（７）の側の余分は８の字結び（９）付近で切断し針（７）の反対側の余分は一定の長さを残して切断し、それぞれの針（７）を天秤状の棒（５）の両端のそれぞれの輪（６）の内側から外側へそれぞれとおし８の字の結び（９）が輪（６）と輪（６）の間に位置するよう取り付け、一定の長さを残した所定の太さの糸（１０）を輪（１）にとおし、２本の棒を並べて設けた（２）間に差し込んで取り付けたことを特徴とする根がかり回避ハリス挟み込み二股サルカン。
【請求項３】
中とおしストッパーゴム（１１）をとおしたハリス（１２）の両端にそれぞれ針（７）を結び、針（７）を天秤状の棒（５）の両端のそれぞれの輪（６）の内側から外側へそれぞれとおし、中とおしストッパーゴム（１１）が輪（６）と輪（６）の間に位置するように取り付けたことを特徴とする根がかり回避ハリス挟み込み二股サルカン。
【請求項４】
請求項１の２本の棒を並べて設けた（４）をねじり棒にして設けたことを特徴とする根がかり回避ハリス挟み込み二股サルカン。
【考案の詳細な説明】
【考案の開示】
【考案が解決しようとする課題】
【０００１】釣りにおいて、道糸を結んだ丸サルカンに針のついたハリスを２本結び付けておこなう２本針の釣りは、魚がかかると魚を取り込む時に魚が暴れることにより魚のかかっていないフリーとなっている針は、水中の植物や岩礁などの障害物に根がかりを起こし魚の取り込みに大変苦労することがある。
魚のかかっていないフリーとなっている針の動きを抑えることが課題であった。
【課題を解決するための手段】
【０００２】上記課題を解決するため、１本の棒の中央を折り曲げ半円にしその先の２本の棒で輪（１）を設け、その先の２本の棒を並べて設け（２）、その先の２本の棒で孔（３）を設け、その先の２本を並べて設け（４）、その先の２本の棒を広げ天秤状（５）にし、広げた２本の棒の先にそれぞれ向き合いぶら下がるように輪（６）を設ける。
また、２本の棒を並べて設けた（４）をねじり棒にしてもよい。
使用方法その１
針（７）の付いたハリス（８）を２本と所定の太さの糸（１０）１本を束ねて８の字で結び（９）、針（７）の付いたハリス（８）の２本の余分は８の字結び（９）付近で切断し所定の太さの糸（１０）の針（７）の側の余分は８の字結び（９）付近で切断し針（７）の反対側の余分は一定の長さを残して切断する。
それぞれの針（７）を天秤状の棒（５）の両端のそれぞれの輪（６）の内側から外側へそれぞれとおし８の字の結び（９）が輪（６）と輪（６）の間に位置するよう取り付け、一定の長さを残した所定の太さの糸（１０）を輪（１）にとおし、２本の棒を並べて設けた（２）間に差し込む。
使用方法その２
中とおしストッパーゴム（１１）をとおしたハリス（１２）の両端にそれぞれ針（７）を結び、針（７）を天秤状の棒（５）の両端のそれぞれの輪（６）の内側から外側へそれぞれとおし、中とおしストッパーゴム（１１）が輪（６）と輪（６）の間に位置するように取り付ける。
【考案の効果】
【０００３】その１
針（７）の付いたハリス（８）を２本と所定の太さの糸（１０）１本を束ねて８の字で結び（９）、針（７）の付いたハリス（８）の２本の余分は８の字結び（９）付近で切断し所定の太さの糸（１０）の針（７）の側の余分は８の字結び（９）付近で切断し針（７）の反対側の余分は一定の長さを残して切断する。
それぞれの針（７）を天秤状の棒（５）の両端のそれぞれの輪（６）の内側から外側へそれぞれとおし８の字の結び（９）が輪（６）と輪（６）の間に位置するよう取り付け、一定の長さを残した所定の太さの糸（１０）を輪（１）にとおし、２本を並べて設けた（２）間に差し込む。
このように設定することによって、魚のかかっていない時は一定の長さを残した所定の太さの糸（１０）が、２本を並べて設けた（２）間に差しこまれ挟まっているため、針（７）の付いたハリス（８）の動きが仮止めされている状態となる。
そして、片方の針（７）に魚がかかった時は、魚のかかった方の針（７）の付いたハリス（８）が引っ張られ、一定の長さを残した所定の太さの糸（１０）は、２本を並べて設けた（２）間に差しこまれ挟まった状態から孔（３）まで移動し外れ、ハリス（８）は仮止め状態から解放される。そして魚のかかっていない針（７）の付いたハリス（８）は輪（６）と輪（６）をとおり移動し、魚のかかっていない針（７）は、輪（６）まで移動し輪（６）に引っ掛かって固定されることによって動きが抑えられ根がかりを回避することができ大変便利である。
また、輪（６）が二つあることにより輪（６）に引っ掛かった針（７）が外れにくくなり、魚の取り込みがより確実になる。
また、釣る魚の対象によって針（７）の大きさが変わり針（７）の付いたハリス（８）の太さが変わることもあるが、２本を並べて設けている（２）隙間が一定しているため所定の太さの糸（１０）を使うことにより２本を並べて設けている（２）隙間に差し込むことや外れ方が安定し取扱いやすくなる。
その２
中とおしストッパーゴム（１１）をとおしたハリス（１２）の両端にそれぞれ針（７）を結び、針（７）を天秤状の棒（５）の両端のそれぞれの輪（６）の内側から外側へそれぞれとおし、中とおしストッパーゴム（１１）が輪（６）と輪（６）の間に位置するように取り付ける。
このように設定することによって、魚のかかっていない時は、中とおしストッパーゴム（１１）が輪（６）と輪（６）の間に位置し安定しているため向き合った輪（６）と輪（６）に動きを抑えられている状態となり、針（７）の付いたハリス（１２）は仮止めされている状態となる。
そして、片方の針（７）に魚がかかった時は、魚のかかった方の針（７）の付いたハリス（１２）が引っ張られ、魚の掛かっていない方のハリス（１２）は輪（６）と輪（６）の間にある中とおしストッパーゴム（１１）をとおって移動し、魚のかかっていない針（７）は輪（６）まで引っ張られて輪（６）に引っ掛かって固定されることによって動きが抑えられ根がかりを回避することができ大変便利である。
その３
１本の棒を棒の途中で切断することなく、また、棒をつなぎ合わせることなく作製することができ、作業が単純で経済的である。
その４
２本の棒を並べて設けた（４）をねじり棒にすることによって天秤部分の棒（５）が開くのを防ぐことができる。
【図面の簡単な説明】
【０００４】
【図１】根がかり回避ハリス挟み込み二股サルカンの正面図である。
【図２】根がかり回避ハリス挟み込み二股サルカンの側面図である。
【図３】根がかり回避ハリス挟み込み二股サルカンに８の字結びのハリスをセットした斜図である。
【図４】根がかり回避ハリス挟み込み二股サルカンに中とおしストッパーゴムをとおしたハリスをセットした斜図である。
【符号の説明】
【０００５】１  輪
２  並べて設けた２本の棒
３  孔
４  並べて設けた２本の棒
５  天秤状の棒
６  輪
７  針
８  ハリス
９  ８の字結び
１０  所定の太さの糸
１１  中とおしストッパーゴム
１２  ハリス
【図１】
0003208951.tif 000003
【図２】
0003208951.tif 000004
【図３】
0003208951.tif 000005
【図４】
0003208951.tif 000006
【手続補正書】
【提出日】平成28年11月30日(2016.11.30)
【手続補正１】
【補正対象書類名】実用新案登録請求の範囲
【補正対象項目名】請求項２
【補正方法】変更
【補正の内容】
【請求項２】
針（７）の付いたハリス（８）を２本と所定の太さの糸（１０）１本を束ねて８の字で結び（９）、針（７）の付いたハリス（８）の２本の余分は８の字結び（９）付近で切断し所定の太さの糸（１０）の針（７）の側の余分は８の字結び（９）付近で切断し針（７）の反対側の余分は一定の長さを残して切断し、それぞれの針（７）を天秤状の棒（５）の両端のそれぞれの輪（６）の内側から外側へそれぞれとおし８の字の結び（９）が輪（６）と輪（６）の間に位置するよう取り付け、一定の長さを残した所定の太さの糸（１０）を輪（１）にとおし、２本の棒を並べて設けた（２）間に差し込んで取り付けたことを特徴とする、請求項１に記載の根がかり回避ハリス挟み込み二股サルカン。
【手続補正２】
【補正対象書類名】実用新案登録請求の範囲
【補正対象項目名】請求項３
【補正方法】変更
【補正の内容】
【請求項３】
中とおしストッパーゴム（１１）をとおしたハリス（１２）の両端にそれぞれ針（７）を結び、針（７）を天秤状の棒（５）の両端のそれぞれの輪（６）の内側から外側へそれぞれとおし、中とおしストッパーゴム（１１）が輪（６）と輪（６）の間に位置するように取り付けたことを特徴とする、請求項１に記載の根がかり回避ハリス挟み込み二股サルカン。
【手続補正３】
【補正対象書類名】実用新案登録請求の範囲
【補正対象項目名】請求項４
【補正方法】変更
【補正の内容】
【請求項４】
前記孔（３）の先に設けた前記２本の棒（４）を、ねじり棒にして設けたことを特徴とする、請求項１に記載の根がかり回避ハリス挟み込み二股サルカン。